(57)【特許請求の範囲】
【請求項１】
各種の入賞装置を設置した遊技盤の前面に、ガラス板を嵌め込んだ前面扉が片開き自在に設置されており、その前面扉の下方に、遊技球発射装置へ遊技球を供給するための供給皿が、前方に突出するように設けられているとともに、内部に設けられた遊技球払出装置から排出される遊技球を前記供給皿へ導き入れるための導球部材が、前記前面扉の裏面から後方へ突出するように設置されたパチンコ機であって、
前記導球部材が、合成樹脂の筒状体の内部に、金属製で鉛直断面Ｕ字状の下部遮蔽板と、その下部遮蔽板より前方へ突出する舌片を有する金属製で平板状の上部遮蔽板とを、下部遮蔽板の上端縁と上部遮蔽板の下面とが接合した状態となるように組み込んで、金属板を張り巡らせたものであり、
前記導球部材の筒状体の上面が、前方から後方にかけて下向きに傾斜した状態になっていることを特徴とするパチンコ機。
【発明の詳細な説明】
【技術分野】
【０００１】
本発明は、パチンコ機に関するものであり、詳しくは、ピアノ線を用いて強制的に入賞装置を開放させる不正行為を効果的に防止することが可能なパチンコ機に関するものである。
【背景技術】
【０００２】
パチンコ機は、前面上部の遊技盤に各種の入賞装置が設置されており、遊技球発射装置によって発射された遊技球がそれらの入賞装置に入賞した場合には、内部に設置された遊技球払出装置によって、所定の個数の賞品球が、前面の供給皿へ排出口（払出口）を介して払い出されるようになっている。また、排出口の後方であって前面扉の裏面には、遊技球払出装置から払い出された遊技球を供給皿へ導くための筒状の部材が、後方へ突出するように設置されている（特許文献１）。かかる筒状部材は、遊技球が払い出される際の騒音を低減するために、合成樹脂によって形成される。
【先行技術文献】
【特許文献】
【０００３】
【特許文献１】特開平１０−９４６７２号公報
【発明の概要】
【発明が解決しようとする課題】
【０００４】
しかしながら、上記の如きパチンコ機においては、供給皿の基端の排出口から、熱したピアノ線を挿入して、その高温のピアノ線の先端によって、排出口の後方に設置された合成樹脂製の筒状部材を溶かして突き破り、ピアノ線の先端を遊技盤面上まで至らせて、開閉式の入賞装置を無理矢理に開放させる不正行為（所謂、ピアノ線ゴト行為）が行われてしまうことがある。それゆえ、遊技盤を固定する枠と前面扉との隙間に弾性部材を設置したパチンコ機も考案されているが、そのようなパチンコ機も、ピアノ線ゴト行為の防止効果が十分であるとはいえなかった。
【０００５】
本発明の目的は、上記従来のパチンコ機が有する課題を解消し、排出口からピアノ線を挿入するゴト行為を効果的に防止することが可能な実用性の高いパチンコ機を提供することにある。
【課題を解決するための手段】
【０００６】
本発明の内、請求項１に記載された発明は、各種の入賞装置を設置した遊技盤の前面に、ガラス板を嵌め込んだ前面扉が片開き自在に設置されており、その前面扉の下方に、遊技球発射装置へ遊技球を供給するための供給皿が、前方に突出するように設けられているとともに、内部に設けられた遊技球払出装置から排出される遊技球を前記供給皿へ導き入れるための導球部材が、前記前面扉の裏面から後方へ突出するように設置されたパチンコ機であって、前記導球部材が、合成樹脂の筒状体の内部に、金属製で鉛直断面Ｕ字状の下部遮蔽板と、その下部遮蔽板より前方へ突出する舌片を有する金属製で平板状の上部遮蔽板とを、下部遮蔽板の上端縁と上部遮蔽板の下面とが接合した状態となるように組み込んで、金属板を張り巡らせたものであり、前記導球部材の筒状体の上面が、前方から後方にかけて下向きに傾斜した状態になっていることを特徴とするものである。
【発明の効果】
【０００８】
請求項１に記載されたパチンコ機は、遊技球払出装置から排出される遊技球を供給皿へ導き入れるための導球部材が、合成樹脂の筒状体の内部に金属板を張り巡らせたものであるため、供給皿の基端の排出口（払出口）から高温のピアノ線が挿入された場合でも、導球部材内の金属板がそのピアノ線の通過を阻止し、ピアノ線の先端部分を遊技盤面上へ侵入させないので、ピアノ線により入賞装置を無理矢理に開放させる不正行為を効果的に防止することができる。
【０００９】
また、請求項１に記載されたパチンコ機は、導球部材の筒状体の上面が、前方から後方にかけて下向きに傾斜した状態になっているため、前面扉を開成した場合に、遊技盤の盤面等から落下した遊技球が導球部材の上面に載ったままとなる事態を防止することができる。したがって、請求項１に記載されたパチンコ機によれば、遊技盤の盤面での球詰まり解除等のメンテナンス作業を容易に行うことができる。
【図面の簡単な説明】
【００１０】
【図１】パチンコ機の正面図である。
【図２】前面扉を片開きした状態を示す説明図である。
【図３】導球部材を示す斜視図である。
【図４】導球部材を示す説明図である（ａは正面図であり、ｂは平面図であり、ｃは右側面図であり、ｄはａにおけるＡ−Ａ線断面図である）。
【図５】導球部材を分解した状態を示す斜視図である。
【図６】導球部材が前面扉の裏面に設置されている状態を示す説明図である。
【発明を実施するための形態】
【００１１】
以下、本発明の遊技機の一実施形態であるパチンコ機について、図面に基いて詳細に説明する。
【００１２】
＜実施例のパチンコ機の構成＞
図１は、本発明に係るパチンコ機１の正面を示したものであり、パチンコ機１は、周囲が機枠２によって覆われており、前面の上部には、遊技盤３が設置されている。また、機枠２の左端縁には、前面扉４が片開き可能に設置されており、前面扉４を閉じると、前面扉４に嵌め込まれたガラス板５が遊技盤３の前面を覆うようになっている。さらに、前面扉４の下部には、払い出された遊技球を貯留して遊技球発射装置３１（図２参照）へ供給するための供給皿６が、前方に突出するように設けられている。そして、その供給皿６の左端縁際には、パチンコ機１の内部に設置された遊技球払出装置（図示せず）から排出された賞品球や貸球が排出される排出口７が設けられている。
【００１３】
また、供給皿６の下側には、供給皿６から溢れた遊技球を貯留するための貯留皿８が、供給皿６と同様に、前方へ突出するように設けられており、その貯留皿８の右側には、遊技球発射装置３１を操作するための発射ハンドル９が突設されている。
【００１４】
一方、図２は、前面扉４を片開きした状態を示したものであり、前面扉４の裏面であって排出口７の後方に位置する部分には、内部に設けられた遊技球払出装置から排出される遊技球を供給皿６へ導き入れるための導球部材１０が、前面扉４の裏面から後方へ突出するように設置されている。
【００１５】
図３〜図５は、それぞれ、導球部材１０を示したものであり、導球部材１０は、下側樋部材１３、上側樋部材１４、下部遮蔽板１１、上部遮蔽板１２、および、それらの各部材を組み付けるためのネジ１５，１５・・によって構成されている。
【００１６】
下側樋部材１３は、合成樹脂（ポリカーボネート）製によって一体的に形成されており、略平行四辺形状の底板部２４の左右に、それぞれ、側板部２５，２５を垂直に連設させてなる鉛直断面Ｕ字状の形状を有している。底板部２４は、基端（図３における左側）から先端にかけて幅広になっており、左側の側板部２５が外向きに凸に屈曲した状態になっている。また、底板部２４は、基端（図３における左側）から先端にかけて、下向きに傾斜した状態になっている。加えて、先端際には、前面扉４の裏面に当着させるための当接板２６が鉛直状に設けられており、その当接板２６の左右の上端際には、ネジ孔２８を穿設した螺着翼２７，２７が設けられている。一方、各側板部２５，２５の外面の前後には、それぞれ、ネジ孔３０を穿設したボス２９，２９・・が外側に突出するように設けられている。
【００１７】
また、下部遮蔽板１１は、金属板（ステンレス板）を折曲げ加工することによって、一体的に形成されており、下側樋部材１３と同様に、略平行四辺形状の底面部２１の左右に、それぞれ、側面部２２，２２を垂直に連設させてなる鉛直断面Ｕ字状の形状を有している。そして、外面が、下側樋部材１３の内面とフィットするようになっている。また、各側面部２２，２２の先端には、下向き折返し部３４が連設されており、各側面部２２，２２の先端には、外向き折返し部３５が連設されている。
【００１８】
一方、上側樋部材１４は、合成樹脂製によって、略平行四辺形状の平板状に形成されている。そして、先端側は、厚みが一定の定厚部４１となっており、当該定厚部４１の左右の側縁には、それぞれ、ガイド壁３７，３７が、鉛直下向きに突出するように連設されている。また、基端側は、テーパ部４２となっており、先端から基端にかけて上面が下向きに傾斜した状態になっている。加えて、左右の側縁際の前後には、ネジ孔４３，４３・・が穿設されている。
【００１９】
さらに、上部遮蔽板１２は、金属板（ステンレス板）によって、上部遮蔽板１２と同様に、略平行四辺形状の平板状に一体的に形成されており、左右の側縁際の前後には、ネジ挿通孔２３，２３・・が穿設されている。なお、上部遮蔽板１２を、上側樋部材１４の内面に当接させると、上部遮蔽板１２のネジ挿通孔２３，２３・・の位置が、上側樋部材１４のネジ孔４３，４３・・の位置と合致するようになっている。
【００２０】
導球部材１０は、下側樋部材１３の内面に下部遮蔽板１１を嵌め込み、上側樋部材１４の内面に上部遮蔽板１２を当接させた状態で、上側樋部材１４のネジ孔４３，４３・・、下側樋部材１３のネジ孔３０，３０・・を利用して、上側樋部材１４と下側樋部材１３とを螺合することによって組み付けられている。なお、上記の如く組み付けられた導球部材１０においては、上部遮蔽板１２の先端に設けられた幅広な帯状の舌片３８が、他の部材（下部遮蔽板１１、上側樋部材１４、下側樋部材１３）の先端よりも前方へ突出した状態になっている。
【００２１】
そして、組み付けられた導球部材１０においては、合成樹脂の上側樋部材１４と下側樋部材１３とによって、遊技球を通過させるための筒状体が形成され、当該筒状体の内面に、金属製の下部遮蔽板１１と上部遮蔽板１２とが張り巡らされた状態になっている（逆に言えば、金属製の下部遮蔽板１１と上部遮蔽板１２とによって、遊技球を通過させるための筒状体が形成され、当該筒状体の外周が、合成樹脂の上側樋部材１４と下側樋部材１３とによって被覆された状態になっている）。また、上記の如く、各部材が組み付けられると、下部遮蔽板１１の側面部２２，２２の直線状の上端縁と上部遮蔽板１２の下面とが接合した状態になるので下部遮蔽板１１と上部遮蔽板１２との間に隙間が形成されない（すなわち、下部遮蔽板１１と上部遮蔽板１２とによって隙間のない金属製の筒状体が形成された状態となる）。
【００２２】
かかる導球部材１０は、図６の如く、当接板２６を、前面扉４の金属フレーム１６の下部に設けられた平板状の供給皿当着部３２の裏面に当接させて、螺着翼２７，２７に穿設されたネジ孔２８，２８を利用して螺着することによって、前面枠４の裏面に取り付けられている。そして、導球部材１０は、パチンコ機１において、遊技盤３の盤面上の入賞装置に遊技球が入賞した場合や、球貸機（図示せず）が操作された場合に、図示しない遊技球払出装置から払い出された賞品球や貸球を、排出口７を介して供給皿６へ導く部材として機能する。
【００２３】
また、不正行為者によって排出口７から熱せられたピアノ線が挿入された場合には、内部に張り巡らされた金属板（上部遮蔽板１２および下部遮蔽板１１）によって、当該ピアノ線の先端が遊技盤面まで到達する事態を阻止することができる。また、パチンコ機１の前面側から見ると、排出口７の内部に、金属（上部遮蔽板１２および下部遮蔽板１１）が張り巡らされた状態が視認できるので、不正行為者は、排出口７からピアノ線を挿入する行為をする意欲を喪失してしまうこととなる。したがって、パチンコ機１によれば、ピアノ線を利用して遊技盤３の盤面上の入賞装置を無理矢理にこじ開ける不正行為を、非常に効果的に防止することが可能となる。
【００２４】
＜実施例のパチンコ機の効果＞
パチンコ機１は、上記の如く、導球部材１０が、合成樹脂の筒状体（上側樋部材１４、下側樋部材１３）の内部に金属板（上部遮蔽板１２および下部遮蔽板１１）を張り巡らせたものであるため、供給皿６の基端の排出口７から高温のピアノ線が挿入された場合でも、導球部材１０内の金属板がそのピアノ線の通過を阻止し、ピアノ線の先端部分を遊技盤３の盤面上へ侵入させないので、ピアノ線により入賞装置を無理矢理に開放させる不正行為を効果的に防止することができる。
【００２５】
また、パチンコ機１は、導球部材１０の筒状体（上側樋部材１４、下側樋部材１３）の上面が、前方から後方にかけて下向きに傾斜した状態になっているため、前面扉４を開成した場合に、遊技盤３の盤面等から落下した遊技球が導球部材１０の上面に載ったままとなる事態を防止することができる。したがって、パチンコ機１によれば、遊技盤３の盤面での球詰まり解除等のメンテナンス作業を容易に行うことができる。
【００２６】
＜パチンコ機の変更例＞
なお、本発明のパチンコ機の構成は、上記実施形態の態様に何ら限定されるものではなく、前面扉、供給皿、導球部材（上側樋部材、下側樋部材、上部遮蔽板、下部遮蔽板）の形状・構造等の構成を、本発明の趣旨を逸脱しない範囲で適宜変更することができる。
【００２７】
たとえば、導球部材は、上記実施形態の如く、合成樹脂製の筒状体に張り巡らす金属板が２つの部材によって構成されたものに限定されず、単一の金属板や、３つ以上の金属板によって構成されたものに変更することも可能である。
【００２８】
また、導球部材は、上記実施形態の如く、筒状体がポリカーボネート等の硬質の合成樹脂によって形成されたものに限定されず、少なくとも一部がゴムやエラストマー等の軟質の合成樹脂によって形成されたもの等でも良い。
【００２９】
さらに、導球部材は、上記実施形態の如く、筒状体の上面が、先端から基端にかけて下向きに傾斜したものに限定されず、中心から左右の端縁にかけて下向きに傾斜したものや、左右の端縁から反対側の端縁にかけて下向きに傾斜したもの等に変更することも可能である。
【産業上の利用可能性】
【００３０】
本発明のパチンコ機は、上記の如く優れた効果を奏するものであるので、各種のパチンコ機として好適に用いることができる。
【符号の説明】
【００３１】
１・・パチンコ機
３・・遊技盤
４・・前面扉
６・・供給皿
７・・排出口（遊技球払出口）
１０・・導球部材
１１・・下部遮蔽板
１２・・上部遮蔽板
１３・・下側樋部材
１４・・上側樋部材
３１・・遊技球発射装置
４２・・テーパ部
【図１】
0005577699.tif 000002
【図２】
0005577699.tif 000003
【図３】
0005577699.tif 000004
【図４】
0005577699.tif 000005
【図５】
0005577699.tif 000006
【図６】
0005577699.tif 000007